(57)【要約】【課題】フィルタによる特殊撮影を可能としながら、レンズバリアの見栄えを良くする。【解決手段】レンズ部２を覆うスライド式のレンズバリア４を備える撮像装置において、装置本体１に内蔵され、レンズバリア４のスライド動作に連動してスライドする板状のフィルタ部材５と、レンズ部２を覆う位置からレンズバリア４をスライドさせるとレンズ部２が開放されて通常撮影を可能とし、レンズバリア４を更にスライドさせると板状のフィルタ部材５がレンズ部２を覆って特殊撮影を可能とする連動機構６と、を備える。なお、レンズバリア４がレンズ部２を覆う位置では、被写体照射用の光源３もレンズバリア４で覆われる。【選択図】図３
2009204690.tif 000002
【特許請求の範囲】
【請求項１】
レンズ部を覆うスライド式のレンズバリアを備える撮像装置において、
装置本体に内蔵され、前記レンズバリアのスライド動作に連動してスライドする板状のフィルタ部材と、
前記レンズ部を覆う位置から前記レンズバリアをスライドさせると前記レンズ部が開放されて通常撮影を可能とし、前記レンズバリアを更にスライドさせると前記板状のフィルタ部材が前記レンズ部を覆って特殊撮影を可能とする連動機構と、を備えることを特徴とする撮像装置。
【請求項２】
レンズ部を覆うスライド式のレンズバリアを備える撮像装置において、
装置本体に内蔵され、前記レンズバリアのスライド動作に連動してスライドする板状のフィルタ部材と、
前記レンズ部を覆う位置から前記レンズバリアをスライドさせると前記レンズ部が開放されて通常撮影を可能とし、前記レンズバリアを更にスライドさせると前記板状のフィルタ部材が、被写体照射用の光源を覆って特殊撮影を可能とする連動機構と、を備えることを特徴とする撮像装置。
【請求項３】
前記レンズバリアが前記レンズ部を覆う位置では、被写体照射用の光源も前記レンズバリアで覆われることを特徴とする請求項１または２に記載の撮像装置。
【請求項４】
前記連動機構は、前記レンズバリアと前記板状のフィルタ部材との間に構成される歯車機構であることを特徴とする請求項１から３のいずれか一項に記載の撮像装置。
【発明の詳細な説明】
【技術分野】
【０００１】
本発明は、スライド式のレンズバリアを備える撮像装置に関する。
【背景技術】
【０００２】
カメラにおいて、スライド式のレンズバリアに、レンズ部やストロボ発光部に位置させて特殊撮影を可能とするフィルタを設けたものがある（例えば特許文献１参照）。
【特許文献１】特開２００１−１５７１０３号公報
【発明の開示】
【発明が解決しようとする課題】
【０００３】
しかし、レンズバリアにフィルタを設けると、レンズバリアの見栄えが悪くなり、延いてはカメラの見栄えが悪くなる。
【０００４】
本発明の課題は、フィルタによる特殊撮影を可能としながら、レンズバリアの見栄えを良くすることである。
【課題を解決するための手段】
【０００５】
以上の課題を解決するため、請求項１に記載の発明は、レンズ部を覆うスライド式のレンズバリアを備える撮像装置において、装置本体に内蔵され、前記レンズバリアのスライド動作に連動してスライドする板状のフィルタ部材と、前記レンズ部を覆う位置から前記レンズバリアをスライドさせると前記レンズ部が開放されて通常撮影を可能とし、前記レンズバリアを更にスライドさせると前記板状のフィルタ部材が前記レンズ部を覆って特殊撮影を可能とする連動機構と、を備えることを特徴とする。
【０００６】
請求項２に記載の発明は、レンズ部を覆うスライド式のレンズバリアを備える撮像装置において、装置本体に内蔵され、前記レンズバリアのスライド動作に連動してスライドする板状のフィルタ部材と、前記レンズ部を覆う位置から前記レンズバリアをスライドさせると前記レンズ部が開放されて通常撮影を可能とし、前記レンズバリアを更にスライドさせると前記板状のフィルタ部材が、被写体照射用の光源を覆って特殊撮影を可能とする連動機構と、を備えることを特徴とする。
【０００７】
請求項３に記載の発明は、請求項１または２に記載の撮像装置であって、前記レンズバリアが前記レンズ部を覆う位置では、被写体照射用の光源も前記レンズバリアで覆われることを特徴とする。
【０００８】
請求項４に記載の発明は、請求項１から３のいずれか一項に記載の撮像装置であって、前記連動機構は、前記レンズバリアと前記板状のフィルタ部材との間に構成される歯車機構であることを特徴とする。
【発明の効果】
【０００９】
本発明によれば、フィルタによる特殊撮影を可能とし、しかも、レンズバリアの見栄えを良くできる。
【発明を実施するための最良の形態】
【００１０】
以下、図を参照して本発明を実施するための最良の形態を詳細に説明する。
（実施形態１）
図１から図３は本発明を適用した撮像装置の実施形態１の構成としてデジタルカメラを示したもので、１は装置本体、２はレンズ部、３は光源、４はレンズバリア、５はフィルタ部材、６は連動機構、７はラック、８はラック、９はピニオンである。
【００１１】
図示のように、装置本体であるカメラボディ１の前面には、左右の一側寄りにレンズ部２が設けられるとともに、その上方に被写体照射用の光源であるストロボ発光部３が設けられている。レンズ部２及びストロボ発光部３は、カメラボディ１に内蔵されて、カメラボディ１の前面壁に形成した開口窓に位置している。そして、これらレンズ部２及びストロボ発光部３を同時に覆うことが可能な横長形状のレンズバリア４が、カメラボディ１の前面に左右方向へスライド動作可能に組み付けられている。
【００１２】
また、カメラボディ１の内部には、横長形状で板状のフィルタ部材５が左右方向へスライド動作可能に組み付けられている。このフィルタ部材５は、レンズ部２の前方に位置することが可能な特殊フィルタ部分５Ａを有している。
【００１３】
以上のレンズバリア４とフィルタ部材５との間には連動機構６が設けられている。この連動機構６は、レンズバリア４の後面の上下に左右方向にわたって形成したラック７と、フィルタ部材５の前面の上下に左右方向にわたって形成したラック８と、カメラボディ１の左右中央位置において前後のラック７・８に同時に噛み合う同一軸線上のピニオン９とからなる歯車機構により構成されている。このピニオン９は、カメラボディ１の前面壁に形成した小孔部において軸受支持されている。
【００１４】
ここで、図１はデジタルカメラの非撮影状態を示したもので、図示のように、カメラボディ１前面のレンズバリア４は、レンズ部２及びストロボ発光部３を同時に覆った状態にある。このとき、カメラボディ１内のフィルタ部材５は、レンズバリア４と反対側に位置している。
【００１５】
図２は通常撮影状態を示したもので、図示のように、レンズバリア４を横にスライドさせてレンズ部２及びストロボ発光部３を開放した状態にある。このとき、フィルタ部材５はラック７・８及びピニオン９の噛み合いによりレンズバリア４と逆方向にスライドしてレンズバリア４と丁度重なった状態に位置する。
【００１６】
図３は特殊撮影状態を示したもので、図示のように、レンズバリア４を更にスライドさせてレンズ部２及びストロボ発光部３と反対側に位置した状態にある。このとき、フィルタ部材５はレンズバリア４と逆方向に更にスライドして特殊フィルタ部分５Ａがレンズ部２の前方に位置した状態にある。
【００１７】
以上、実施形態のデジタルカメラによれば、レンズバリア４と連動して逆方向にスライドする、カメラボディ１に内蔵したフィルタ部材５の特殊フィルタ部分５Ａでレンズ部２を覆って特殊撮影を行うことができるため、レンズバリア４の見栄えを良くできる。
【００１８】
（実施形態２）
図４から図６は実施形態２のデジタルカメラを示したもので、前述した実施形態１と同様、１はカメラボディ、２はレンズ部、３はストロボ発光部、４はレンズバリア、６は連動機構、７はラック、９はピニオンであって、１５はフィルタ部材、１８はラックである。
【００１９】
実施形態２において、板状のフィルタ部材１５は、図示のように、左右方向へのスライド動作でストロボ発光部３の前方に位置することが可能な特殊フィルタ部分１５Ａを有する細長い横長形状のものである。
【００２０】
そして、このフィルタ部材１５とレンズバリア４との間の連動機構６は、レンズバリア４の後面の上部に左右方向にわたって上下平行に形成したラック７と、フィルタ部材１５の前面の上下に左右方向にわたって形成したラック１８と、カメラボディ１の左右中央位置において前後のラック７・１８に同時に噛み合う同一軸線上のピニオン９とからなる歯車機構により構成されている。
【００２１】
ここで、図４はデジタルカメラの非撮影状態を示したもので、図示のように、カメラボディ１前面のレンズバリア４は、レンズ部２及びストロボ発光部３を同時に覆った状態にある。このとき、カメラボディ１内のフィルタ部材１５は、レンズバリア４と反対側に位置している。
【００２２】
図５は通常撮影状態を示したもので、図示のように、レンズバリア４を横にスライドさせてレンズ部２及びストロボ発光部３を開放した状態にある。このとき、フィルタ部材１５はラック７・１８及びピニオン９の噛み合いによりレンズバリア４と逆方向にスライドしてレンズバリア４の上部に沿って重なった状態に位置する。
【００２３】
図６は特殊撮影状態を示したもので、図示のように、レンズバリア４を更にスライドさせてレンズ部２及びストロボ発光部３と反対側に位置した状態にある。このとき、フィルタ部材１５はレンズバリア４と逆方向に更にスライドして特殊フィルタ部分１５Ａがストロボ発光部３の前方に位置した状態にある。
【００２４】
以上、実施形態２のデジタルカメラによれば、レンズバリア４と連動して逆方向にスライドする、カメラボディ１に内蔵したフィルタ部材１５の特殊フィルタ部分１５Ａでストロボ発光部３を覆って特殊撮影を行うことができるため、レンズバリア４の見栄えを良くできる。
【００２５】
（実施形態３）
図７から図９は実施形態３のデジタルカメラを示したもので、前述した実施形態１と同様、１はカメラボディ、２はレンズ部、３はストロボ発光部、４はレンズバリアであって、２５はフィルタ部材、２６は連動機構、２７はラック、２８はギヤ、２９はギヤ、３０はギヤである。
【００２６】
実施形態３において、板状のフィルタ部材２５は、図示のように、回転方向のスライド動作でレンズ部２の前方に位置することが可能な特殊フィルタ部分２５Ａを有する羽根形状のものである。
【００２７】
そして、このフィルタ部材２５とレンズバリア４との間の連動機構２６は、レンズバリア４の後面の上部に左右方向にわたって形成したラック２７と、このラック２７に噛み合うギヤ２８と、このギヤ２８に噛み合う中間のギヤ２９と、この中間のギヤ２９に噛み合う、フィルタ部材２５の回転中心に同一軸線上のギヤ３０とからなる歯車機構により構成されている。なお、レンズバリア４のラック２７及び中間のギヤ２９に噛み合うギヤ２８は、カメラボディ１の前面壁に形成した開口部において軸受支持されている。
【００２８】
ここで、図７はデジタルカメラの非撮影状態を示したもので、図示のように、カメラボディ１前面のレンズバリア４は、レンズ部２及びストロボ発光部３を同時に覆った状態にある。このとき、カメラボディ１内のフィルタ部材２５は、その特殊レンズ２５Ａがレンズバリア４の図示左下方に位置している。
【００２９】
図８は通常撮影状態を示したもので、図示のように、レンズバリア４を横にスライドさせてレンズ部２及びストロボ発光部３を開放した状態にある。このとき、フィルタ部材２５はラック２７及びギヤ２８・２９・３０の噛み合いによりレンズバリア４と図示反時計回りにスライドしてレンズバリア４の図示右下方に位置する。
【００３０】
図９は特殊撮影状態を示したもので、図示のように、レンズバリア４を更にスライドさせてレンズ部２及びストロボ発光部３と反対側に位置した状態にある。このとき、フィルタ部材２５は図示反時計回りに更にスライドして特殊フィルタ部分２５Ａがレンズ部２の前方に位置した状態にある。
【００３１】
以上、実施形態３のデジタルカメラによれば、レンズバリア４と連動して回転方向にスライドする、カメラボディ１に内蔵したフィルタ部材２５の特殊フィルタ部分２５Ａでレンズ部２を覆って特殊撮影を行うことができるため、レンズバリア４の見栄えを良くできる。
【００３２】
（実施形態４）
図１０から図１２は実施形態４のデジタルカメラを示したもので、３１はカメラボディ、３２はレンズ部、３３はストロボ発光部、３４はレンズバリア、３５はフィルタ部材である。
【００３３】
実施形態４において、カメラボディ３１の前面には、図示のように、中央にレンズ部３２が設けられるとともに、その上方の角部にストロボ発光部３３が設けられている。また、レンズ部２を覆うことが可能な羽根形状のレンズバリア３４が、カメラボディ３１の前面に対し支軸３４ａを中心とする回転動作によるスライド可能に組み付けられている。
【００３４】
そして、板状のフィルタ部材３５は、図示のように、レンズバリア３４と同軸上、すなわち、支軸３４ａを中心とする回転動作によるスライドでレンズ部３３の前方に位置することが可能な特殊フィルタ部分３５Ａを有する羽根形状のものである。
【００３５】
ここで、図１０はデジタルカメラの非撮影状態を示したもので、図示のように、カメラボディ３１前面のレンズバリア３４は、レンズ部２を覆った状態にある。このとき、カメラボディ３１内のフィルタ部材３５は、その特殊レンズ３５Ａがレンズバリア３４の図示右下方に位置している。
【００３６】
図１１は通常撮影状態を示したもので、図示のように、レンズバリア３４を図示時計回りにスライドさせてレンズ部３２を開放した状態にある。このとき、フィルタ部材３５はレンズバリア３４と一体に図示時計回りにスライドしてレンズ部３２の図示右下方に位置する。
【００３７】
図１２は特殊撮影状態を示したもので、図示のように、レンズバリア３４を更に図示時計回りにスライドさせてレンズ部３２の図示右上方に位置した状態にある。このとき、フィルタ部材３５もレンズバリア３４と一体に図示時計回りにスライドして特殊フィルタ部分３５Ａがレンズ部３２の前方に位置した状態にある。
【００３８】
以上、実施形態４のデジタルカメラによれば、レンズバリア３４と一体に回転スライドする、カメラボディ３１に内蔵したフィルタ部材３５の特殊フィルタ部分３５Ａでレンズ部３２を覆って特殊撮影を行うことができるため、レンズバリア３４の見栄えを良くできる。
【００３９】
（変形例）
なお、以上の実施形態においては、手動操作によるスライド動作としたが、本発明はこれに限定されるものではなく、モータ等の駆動源による自動スライド動作であっても良い。
また、フィルタ部材について、その特殊フィルタ部分は偏光フィルタ、ＮＤフィルタ、レンズ保護フィルタ、ＵＶフィルタなど種類は問わず任意である。
さらに、レンズバリア及びフィルタ部材の形状等も任意であり、その他、具体的な細部構造等についても適宜に変更可能であることは勿論である。
【図面の簡単な説明】
【００４０】
【図１】本発明を適用した撮像装置の実施形態１の構成を示すもので、デジタルカメラの非撮影状態を示した正面図（ａ）と、その破断底面図（ｂ）と、その連動機構部の拡大図（ｃ）である。
【図２】図１のデジタルカメラの通常撮影状態を示した正面図（ａ）と、その破断底面図（ｂ）である。
【図３】図１のデジタルカメラの特殊撮影状態を示した正面図（ａ）と、その破断底面図（ｂ）である。
【図４】実施形態２の構成を示すもので、デジタルカメラの非撮影状態を示した正面図（ａ）と、その破断底面図（ｂ）である。
【図５】図４のデジタルカメラの通常撮影状態を示した正面図（ａ）と、その破断底面図（ｂ）である。
【図６】図４のデジタルカメラの特殊撮影状態を示した正面図（ａ）と、その破断底面図（ｂ）である。
【図７】実施形態３の構成を示すもので、デジタルカメラの非撮影状態を示した正面図である。
【図８】図７のデジタルカメラの通常撮影状態を示した正面図である。
【図９】図７のデジタルカメラの特殊撮影状態を示した正面図である。
【図１０】実施形態４の構成を示すもので、デジタルカメラの非撮影状態を示した正面図である。
【図１１】図１０のデジタルカメラの通常撮影状態を示した正面図である
【図１２】図１０のデジタルカメラの特殊撮影状態を示した正面図である
【符号の説明】
【００４１】
１  装置本体
２  レンズ部
３  光源
４  レンズバリア
５  フィルタ部材
５Ａ  特殊フィルタ部分
６  連動機構
７  ラック
８  ラック
９  ピニオン
１５  フィルタ部材
１５Ａ  特殊フィルタ部分
１８  ラック
２５  フィルタ部材
２５Ａ  特殊フィルタ部分
２６  連動機構
２７  ラック
２８  ギヤ
２９  ギヤ
３０  ギヤ
３１  装置本体
３２  レンズ部
３３  光源
３４  レンズバリア
３５  フィルタ部材
３５Ａ  特殊フィルタ部分
【図１】
2009204690.tif 000003
【図２】
2009204690.tif 000004
【図３】
2009204690.tif 000005
【図４】
2009204690.tif 000006
【図５】
2009204690.tif 000007
【図６】
2009204690.tif 000008
【図７】
2009204690.tif 000009
【図８】
2009204690.tif 000010
【図９】
2009204690.tif 000011
【図１０】
2009204690.tif 000012
【図１１】
2009204690.tif 000013
【図１２】
2009204690.tif 000014